(57)【特許請求の範囲】
【請求項１】
便器装置の機能部を梱包するための便器装置の梱包材であって、
前記機能部が前記梱包材に梱包された状態において、前記機能部の周囲を囲むように配置される筒状の周壁部と、
１枚の板状部材で形成される仕切部材であって、前記機能部が前記梱包材に梱包された状態において、前記機能部の上方に配置され、前記周壁部における前記機能部の前方側において上下方向に延びる収容部を形成すると共に、前記周壁部における前記機能部の前方側において前記周壁部の第１荷重受け部に支持される第１支持部と、前記周壁部における前記機能部の後方側において前記周壁部の第２荷重受け部に支持される第２支持部と、を有する仕切部材と、を備え、
前記第１荷重受け部及び前記第１支持部は、前記第２荷重受け部及び前記第２支持部よりも下方に配置され、
前記仕切部材は、前記第２支持部側から前記第１支持部側に向かうに従って下方に下るように傾斜する傾斜面を有する便器装置の梱包材。
【請求項２】
便器装置の機能部を梱包するための便器装置の梱包材であって、
前記機能部が前記梱包材に梱包された状態において、前記機能部の周囲を囲むように配置される筒状の周壁部と、
１枚の板状部材で形成される仕切部材であって、前記機能部が前記梱包材に梱包された状態において、前記機能部の上方に配置され、前記周壁部における前記機能部の前方側において上下方向に延びる収容部を形成すると共に、前記周壁部における前記機能部の前方側において前記周壁部の第１荷重受け部に支持される第１支持部と、前記周壁部における前記機能部の後方側において前記周壁部の第２荷重受け部に支持される第２支持部と、を有する仕切部材と、を備え、
前記仕切部材は、前記第１支持部が前記周壁部の前方側の前記第１荷重受け部に支持されると共に前記第２支持部が前記周壁部の後方側の前記第２荷重受け部に支持されることにより、前記周壁部に吊り下げられる便器装置の梱包材。
【請求項３】
便器装置の機能部を梱包するための便器装置の梱包材であって、
前記機能部が前記梱包材に梱包された状態において、前記機能部の周囲を囲むように配置される筒状の周壁部と、
１枚の板状部材で形成される仕切部材であって、前記機能部が前記梱包材に梱包された状態において、前記機能部の上方に配置され、前記周壁部における前記機能部の前方側において上下方向に延びる収容部を形成すると共に、前記周壁部における前記機能部の後方側において前記機能部が配置される下方側の部分と上方側の部分とを仕切るように前記機能部の上方に配置される仕切部を有し、前記周壁部における前記機能部の前方側において前記周壁部の第１荷重受け部に支持される第１支持部を有する仕切部材と、を備え、
前記収容部は、前記便器装置の部材における便蓋及び便座を除いた部材が配置される部材配置部であり、
前記仕切部と前記収容部とは、前後方向に見た場合に重なって配置される便器装置の梱包材。
【請求項４】
前記機能部は、便座及び便蓋を有し、
前記収容部は、底面を有し、
前記収容部の前記底面は、前記便器装置の前記機能部の梱包状態において、前記便座の上端部及び前記便蓋の上端部よりも下方に位置する請求項３に記載の便器装置の梱包材。
【請求項５】
前記仕切部材は、前記機能部が前記梱包材に梱包された状態において、前記周壁部における前記機能部の後方側において前記周壁部の第２荷重受け部に支持される第２支持部を備え、
前記第１支持部は、爪部であり、
前記第２支持部は、耳片部であり、
前記仕切部材は、前記第１荷重受け部及び前記第２荷重受け部により支持される請求項１〜４のいずれかに記載の便器装置の梱包材。
【請求項６】
前記第１支持部は、前記仕切部材における切り込みが形成された折り曲がり部を折り曲げることで形成される請求項１〜５のいずれかに記載の便器装置の梱包材。
【発明の詳細な説明】
【技術分野】
【０００１】
本発明は、便器装置の梱包材に関する。
【背景技術】
【０００２】
従来、便器装置の機能部を梱包するための梱包材として、筒状のケース本体とケース本体の上端部から延びるフラップとを有する箱状ケースを備え、箱状ケースの内部において、下方側に便器装置の機能部を配置すると共に、上方側に付属品などを収容する収容容器を配置した梱包材が知られている（例えば、特許文献１参照）。
【０００３】
特許文献１に記載の梱包材は、フラップにＵ字状の切り込みを入れて、フラップにおける切り込み部の外側の部分をケース本体の内面に沿うように折り返して、ケース本体の内面に沿うように配置されたフラップの切り込み部の段状の部分に、収容容器の係止部材を係止させている。
【先行技術文献】
【特許文献】
【０００４】
【特許文献１】特開２００９−１８８７０号公報
【発明の概要】
【発明が解決しようとする課題】
【０００５】
ところで、便器装置において、便器の側部の凹部を覆うためのサイドカバーを備えるものがある。例えば、サイドカバーのような大きな部材などを、機能部を梱包する梱包材に同梱する場合に、特許文献１に記載の梱包材を利用すると、便器装置の機能部の上方側に収容容器が配置されているため、大きい部材などを梱包することができないことがある。
そのため、梱包材の内部のスペースを有効的に利用するために、梱包材の構造についての工夫が望まれる。
【０００６】
本発明は、便器装置の機能部を梱包するための梱包材であって、例えばサイドカバーのような大きな部材を梱包できる便器装置の梱包材を提供することを目的とする。
【課題を解決するための手段】
【０００７】
本発明は、便器装置（例えば、後述の便器装置１０）の機能部（例えば、後述の機能部１１）を梱包するための便器装置の梱包材（例えば、後述の梱包装置１）であって、前記機能部が前記梱包材に梱包された状態において、前記機能部の周囲を囲むように配置される筒状の周壁部（例えば、箱状ケース４）と、１枚の板状部材で形成される仕切部材（例えば、後述の吊り下げ仕切部５）であって、前記機能部が前記梱包材に梱包された状態において、前記機能部の上方に配置され、前記周壁部における前記機能部の前方側（例えば、後述の前方側Ｙ１）において上下方向に延びる収容部（例えば、後述のサイドカバー配置部５０２）を形成すると共に、前記周壁部における前記機能部の前方側において前記周壁部の第１荷重受け部（例えば、後述の係止穴４４）に支持される第１支持部（例えば、後述の爪部５９）を有する仕切部材（例えば、後述の吊り下げ仕切部５）と、を備える便器装置の梱包材に関する。
【０００８】
また、前記仕切部材は、前記機能部が前記梱包材に梱包された状態において、前記周壁部における前記機能部の後方側において前記周壁部の第２荷重受け部に支持される第２支持部（例えば、後述の耳片部５２）を備え、前記第１荷重受け部及び前記第１支持部は、前記第２荷重受け部及び前記第２支持部よりも下方に配置される。
【０００９】
また、前記仕切部材は、前記機能部が前記梱包材に梱包された状態において、前記周壁部における前記機能部の後方側において前記周壁部の第２荷重受け部（例えば、後述の内フラップ４２）に支持される第２支持部（例えば、後述の耳片部５２）を備え、前記第１支持部は、爪部であり、前記第２支持部は、耳片部であり、前記仕切部材は、前記第１荷重受け部及び前記第２荷重受け部により支持されることが好ましい。
【００１０】
また、前記第１支持部は、前記仕切部材における切り込み（例えば、後述の切断線５９１）が形成された折り曲がり部（例えば、後述の折り線５６２）を折り曲げることで形成されることが好ましい。
【００１１】
また、前記収容部は、前記便器装置の便器のサイドカバー（例えば、後述のサイドカバー１５）が配置されるサイドカバー配置部であることが好ましい。
【発明の効果】
【００１２】
本発明によれば、便器装置の機能部を梱包するための梱包材であって、例えばサイドカバーのような大きな部材を梱包できる便器装置の梱包材を提供することができる。
【図面の簡単な説明】
【００１３】
【図１】本発明の梱包装置１に、便器装置１０の機能部１１、サイドカバー１５、付属品１６を梱包する場合を示す分解斜視図である。
【図２】本発明の梱包装置１において、主に、吊り下げ仕切部５を示す斜視図である。
【図３】図２のＡ−Ａ線断面図である。
【図４】本発明の梱包装置１にける吊り下げ仕切部５の展開図である。
【図５】本発明の梱包装置１において、一対の耳片部５２，５２が支持される状態を説明するための斜視図である。
【発明を実施するための形態】
【００１４】
以下、本発明の実施形態について、本発明の一実施形態について、図面を参照して詳しく説明する。図１は、本発明の梱包装置１に、便器装置１０の機能部１１、サイドカバー１５、付属品１６を梱包する場合を示す分解斜視図である。図２は、本発明の梱包装置１において、主に、吊り下げ仕切部５を示す斜視図である。図３は、図２のＡ−Ａ線断面図である。図４は、本発明の梱包装置１における吊り下げ仕切部５の展開図である。図５は、本発明の梱包装置１において、一対の耳片部５２，５２が支持される状態を説明するための斜視図である。
【００１５】
なお、以下の説明においては、便器装置１０の便座１３を着座位置に配置した状態で便座１３に座った人から視た場合の前後の向きを前後方向Ｙとする。本実施形態においては、前方（便蓋１４）側を前方側Ｙ１とし、後方（機能部１１）側を後方側Ｙ２とする。また、便器装置１０の便座１３に座った人から視た場合の左右の向きを左右方向Ｘとする。
【００１６】
また、梱包装置１においては、機能部１１が梱包装置１に梱包された状態において、吊り下げ仕切部５における長さが短い幅方向に沿った方向を第１方向Ｄ１とする。また、第１方向に直交する方向であって、吊り下げ仕切部５における長さが長い長手方向に沿った方向を第２方向Ｄ２とする。第２方向Ｄ２における耳片部５２側を第２２方向側Ｄ２２とし、第２方向Ｄ２における耳片部５２側と反対側を第２１方向側Ｄ２１とする。
便器装置１０の機能部１１及び梱包装置１において、鉛直方向に沿った上下の向きを上下方向Ｚとする。
【００１７】
なお、梱包装置１に機能部１１が梱包された状態においては、梱包装置１の第１方向Ｄ１と機能部の左右方向Ｘは一致する。また、梱包装置１の第２方向Ｄ２と機能部の前後方向Ｙは一致し、前方側Ｙ１と第２１方向側Ｄ２１とは一致し、後方側Ｙ２と第２２方向側Ｄ２２とは一致する。
【００１８】
本発明に係る便器装置の梱包材としての梱包装置１は、図１に示すように、便器装置１０の機能部１１と、便器の側部を覆うサイドカバー１５と、付属品１６と、を収容して梱包するために用いられる。機能部１１は、機能部本体１２と、便座１３と、便蓋１４と、を有する。便座１３及び便蓋１４は、機能部本体１２に対して回動可能に取り付けられる。
【００１９】
本実施形態においては、機能部本体１２には、機能部カバー１２１の内部において、図示を省略するが、洗浄機構や、給水機構や、電気部品や、各種バルブや、高さ低い洗浄タンクなどが配置される。付属品１６としては、例えば、リモコンや、電気部品や、ホース類や、止水栓等のセットなどがある。サイドカバー１５は、一対のサイドカバー１５ａ，１５ａを有する。一対のサイドカバー１５ａ，１５ａは、便器（図示せず）の後方側の側部から窪む凹部を覆って美観を向上させるために、便器（図示せず）の側部に取り付けられるものである。
【００２０】
梱包装置１は、図１に示すように、底トレイ部２と、載置台部３と、周壁部としての箱状ケース４と、仕切部としての吊り下げ仕切部５と、を備える。本実施形態においては、底トレイ部２、載置台部３、箱状ケース４及び吊り下げ仕切部５は、それぞれ、例えば、１枚の段ボールが折り曲げられて形成される。
【００２１】
底トレイ部２は、上面が開口すると共に、下面が閉止され、深さが浅い直方体形状の箱状に形成される。底トレイ部２は、底面２１と、底面２１から立ち上がる方形筒状の側壁２２と、を有する。
【００２２】
載置台部３は、底トレイ部２の内部に配置される。載置台部３は、１枚の段ボールが折り曲げられることで、所定の高さを有して形成され、上方側から視た場合に、略Ａ字形状に形成される。載置台部３は、底トレイ部２に配置された場合に、底トレイ部２の側壁２２の内側に収容される大きさに形成される。
【００２３】
底トレイ部２に配置された載置台部３の上方には、機能部１１が載置される。機能部１１は、載置台部３の上方に配置された場合に、後方側Ｙ２が、載置台部３のＡ字形状のＡ字部分の頂部３１側に配置され、前方側Ｙ１が、載置台部３のＡ字形状のＡ字部分の一対の足部３２，３２側に配置される。
【００２４】
箱状ケース４は、１枚の段ボールが折り曲げられて形成される。箱状ケース４は、ケース本体４１と、一対の内フラップ４２，４２と、一対の外フラップ４３，４３と、を有する。箱状ケース４は、ケース本体４１の上部開口が、一対の内フラップ４２，４２及び一対の外フラップ４３，４３で閉じられた場合に、上部が閉止された直方体形状の箱状に形成される。
【００２５】
ケース本体４１は、上面及び下面が開口し、上下方向Ｚに延びる方形筒状に形成される。機能部１１が梱包装置１に梱包された状態（以下、「梱包状態」ともいう。）において、ケース本体４１は、機能部１１の周囲を囲むように配置される。箱状ケース４の開口の大きさは、底トレイ部２の側壁２２の内側に収容される大きさに形成される。ケース本体４１は、第１方向Ｄ１に離間する一対の第１側壁４１１，４１１と、第２方向Ｄ２に離間する一対の第２側壁４１２，４１２とを有する。
【００２６】
箱状ケース４の下端には、載置台部３のＡ字形状の頂部３１及び一対の足部３２，３２に係止される切り込み部４１ａ，４１ｂ，４１ｂが形成されている。梱包状態において、箱状ケース４は、切り込み部４１ａ，４１ｂ，４１ｂが載置台部３の頂部３１及び一対の足部３２，３２に係止されることで、底トレイ部２から立ち上がるように配置される。
【００２７】
ケース本体４１は、第１荷重受け部としての一対の係止穴４４，４４と、一対の挿入口４５，４５と、を有する。一対の挿入口４５，４５は、ケース本体４１の第１側壁４１１，４１１の上方側に形成され、手を挿入することが可能である。
【００２８】
一対の係止穴４４，４４は、梱包状態において、箱状ケース４における機能部１１の前方側Ｙ１に形成される。一対の係止穴４４，４４は、箱状ケース４における機能部１１の前方側Ｙ１（第２方向Ｄ２の第２１方向側Ｄ２１）の第２側壁４１２ａにおいて、箱状ケース４の上下方向Ｚの略中央（箱状ケース４のケース本体４１の上端部よりも下方）において、第１方向Ｄ１に離間して設けられる。一対の係止穴４４，４４は、第１方向Ｄ１に所定長さ延びて開口する横スリット状に形成される。一対の係止穴４４，４４には、箱状ケース７の内部側から、後述する吊り下げ仕切部５の一対の爪部５９，５９が挿入されて支持される。
【００２９】
ケース本体４１の下方には、梱包状態において、機能部１１が配置される。ケース本体４１の上方には、吊り下げ仕切部５が、吊り下げられた状態で、取り付けられる。吊り下げ仕切部５には、サイドカバー１５や付属品１６が載置される。
【００３０】
一対の内フラップ４２，４２は、図１に示すように、それぞれ、ケース本体４１における一対の第１側壁４１１，４１１の上端部から延出する。一対の内フラップ４２，４２は、ケース本体４１の上面開口を開閉するように折り曲げることができる。内フラップ４２は、梱包状態において、外フラップ４３よりもケース本体４１の内部側に配置される。
【００３１】
一対の内フラップ４２，４２は、第２荷重受け部を構成する。第２荷重受け部としての一対の内フラップ４２，４２を折り曲げて箱状ケース４の上面開口を閉じた場合に、一対の内フラップ４２，４２は、一対の内フラップ４２，４２の第２方向Ｄ２の第２２方向側Ｄ２２の端部の上面４２ａ（図５参照）において、後述する吊り下げ仕切部５の一対の耳片部５２，５２を支持する。
【００３２】
一対の内フラップ４２，４２には、スリット開口４２１，４２１が形成されている。スリット開口４２１，４２１は、一対の内フラップ４２，４２におけるケース本体４１寄りの第２方向Ｄ２の略中央において、第１方向Ｄ１に所定長さ延びて開口する。一対のスリット開口４２１，４２１には、後述する一対の外フラップ４３，４３の一対の閉じ片４３１，４３１が挿入される。
【００３３】
一対の外フラップ４３，４３は、それぞれ、ケース本体４１における第２方向Ｄ２に離間する一対の第２側壁４１２，４１２の上端部から延出する。一対の外フラップ４３，４３は、ケース本体４１の上面開口を開閉するように折り曲げることができる。外フラップ４３は、梱包状態において、内フラップ４２よりもケース本体４１の外側に配置される。
【００３４】
一対の外フラップ４３，４３には、閉じ片４３１，４３１が形成されている。閉じ片４３１は、外フラップ４３の外側の一方の角部に切り込みを入れることで形成される。一対の内フラップ４２，４２で閉じた後に、一対の外フラップ４３，４３で閉じる場合に、閉じ片４３１，４３１は、一対の内フラップ４２，４２のスリット開口４２１，４２１に挿入される。一対の外フラップ４３，４３を閉じることで、一対の外フラップ４３，４３は、一対の内フラップ４２，４２の第２方向Ｄ２の第２２方向側Ｄ２２の端部の上面４２ａ（図５参照）で支持された一対の耳片部５２，５２を上部側から押さえ付ける。
【００３５】
吊り下げ仕切部５は、図２及び図３に示すように、機能部１１の便座１３及び便蓋１４が配置される機能部配置部５０１と、サイドカバー１５を縦にした状態で配置できるサイドカバー配置部５０２（収容部）と、付属品１６が配置される付属品配置部５０３と、便座１３の先端部が配置される便座先端配置部５０４と、便蓋１４の先端部が配置される便蓋先端配置部５０５と、を仕切るように形成される。
【００３６】
機能部配置部５０１は、図３に示すように、梱包状態において、ケース本体４１における吊り下げ仕切部５の下方に形成される。サイドカバー配置部５０２は、梱包状態において、ケース本体４１における機能部１１の前方側Ｙ１において、上下方向Ｚに延びる空間により形成される。サイドカバー配置部５０２は、梱包状態において、機能部１１の便座１３及び便蓋１４の前方側Ｙ１（第２方向Ｄ２の第２１方向側Ｄ２１）であって、便蓋１４の上端部の近傍から、下方に向けて延びて形成されている。
【００３７】
付属品配置部５０３は、梱包状態において、ケース本体４１における機能部１１の後方側Ｙ２に形成される。便座先端配置部５０４は、第２方向Ｄ２におけるサイドカバー配置部５０２と付属品配置部５０３との間において、サイドカバー配置部５０２側に形成される。便蓋先端配置部５０５は、第２方向Ｄ２におけるサイドカバー配置部５０２と付属品配置部５０３との間において、付属品配置部５０３側に形成される。
【００３８】
吊り下げ仕切部５は、１枚の段ボールが折り曲げられて形成される。吊り下げ仕切部５は、図４に示すように、１枚の段ボールが折り曲げられていない展開状態において、第２方向Ｄ２に延びる平面状に形成され、図２に示すように、梱包状態において、１枚の段ボールを折り曲げることで形成される。吊り下げ仕切部５は、図３に示すように、梱包状態において、機能部１１の上方に配置される。
【００３９】
吊り下げ仕切部５は、展開状態において、図４に示すように、主な構成として、付属品配置傾斜底面５１と、一対の耳片部５２，５２（第２支持部）と、付属品仕切片５３と、一対のサイドカバー底部仕切片５４，５４と、サイドカバー配置底面５６と、一対の下方側片５７，５７と、サイドカバー配置側面５８と、一対の爪部５９，５９（第１支持部）と、サイドカバー仕切部６１と、一対の上方側片６４，６４と、便座仕切片６５と、を備える。吊り下げ仕切部５は、展開状態において、第１方向Ｄ１に対称の形状に形成される。
【００４０】
付属品配置傾斜底面５１は、図４に示すように、展開図において、吊り下げ仕切部５における第２方向Ｄ２の第２２方向側Ｄ２２に形成される。付属品配置傾斜底面５１は、図２及び図３に示すように、梱包状態において、付属品配置部５０３の底面を構成する。付属品配置傾斜底面５１は、第２方向Ｄ２の第２２方向側Ｄ２２から第２１方向側Ｄ２１に向かうに従って下方に下るように傾斜して配置される。
【００４１】
一対の耳片部５２，５２は、図４に示すように、展開図において、付属品配置傾斜底面５１の第２２方向側Ｄ２２の端部に、二重の折り線５２１，５２１（図４において、いずれも谷折り）を介して接続される。一対の耳片部５２，５２は、第１方向Ｄ１に離間して設けられる。一対の耳片部５２，５２は、図２及び図３に示すように、梱包状態において、箱状ケース４における機能部１１の後方側Ｙ２において、箱状ケース４の一対の内フラップ４２，４２に支持される。
【００４２】
一対の耳片部５２，５２は、図５に示すように、梱包状態において、一対の内フラップ４２，４２の上面４２ａに沿うように折り曲げることが可能なように配置される。具体的には、一対の内フラップ４２，４２を閉じる場合に、一対の内フラップ４２，４２の上面４２ａ側に一対の耳片部５２，５２が配置されるように、一対の耳片部５２，５２を起立させた状態で、一対の内フラップ４２，４２を閉じる。そして、一対の耳片部５２，５２を、一対の内フラップ４２，４２の上面４２ａに沿うように折り返す。
これにより、一対の内フラップ４２，４２は、吊り下げ仕切部５における第２方向Ｄ２の第２２方向側Ｄ２２における箱状ケース４の上部側において、吊り下げ仕切部５の一対の耳片部５２，５２を支持する。
【００４３】
一対の耳片部５２，５２が一対の内フラップ４２，４２に支持された状態においては、一対の内フラップ４２，４２及び一対の耳片部５２，５２は、箱状ケース４における機能部１１の後方側Ｙ２において、箱状ケース４における上部側に配置される。吊り下げ仕切部５は、箱状ケース４における機能部１１の後方側Ｙ２において、箱状ケース４における上部側で支持されている。そのため、箱状ケース４における機能部１１の後方側Ｙ２において、吊り下げ仕切部５の下方には、機能部１１の高さに依存しないスペースが確保される。
【００４４】
付属品仕切片５３は、図４に示すように、展開図において、付属品配置傾斜底面５１の第２１方向側Ｄ２１の端部に、折り線５１１（図４において谷折り）を介して接続される。付属品仕切片５３は、図２及び図３に示すように、梱包状態において、付属品配置傾斜底面５１の第２方向Ｄ２の第２１方向側Ｄ２１の端部において立ち上がるように配置され、付属品配置部５０３の底部において、付属品配置部５０３と便蓋先端配置部５０５とを仕切るように配置される。また、付属品仕切片５３を立ち上げるように折り曲げることで、便座１３の先端及び便蓋１４の先端が挿通される挿通部５２０が形成される。
【００４５】
一対のサイドカバー底部仕切片５４，５４は、図４に示すように、展開図において、付属品仕切片５３の第２１方向側Ｄ２１の端部において、付属品仕切片５３の第１方向Ｄ１の両端に、切断線５３１，５３１を介して第２１方向側Ｄ２１に形成される。一対のサイドカバー底部仕切片５４，５４は、第１方向Ｄ１に離間して配置される。第１方向Ｄ１における一対のサイドカバー底部仕切片５４，５４の間には、台形状の貫通穴５５が形成されている。一対のサイドカバー底部仕切片５４，５４は、図２及び図３に示すように、梱包状態において、サイドカバー配置底面５６（後述）の第２方向Ｄ２の第２２方向側Ｄ２２の端部において立ち上がるように配置され、サイドカバー配置部５０２の底部において、サイドカバー配置部５０２と便座先端配置部５０４とを仕切るように配置される。
【００４６】
サイドカバー配置底面５６は、図４に示すように、展開図において、一対のサイドカバー底部仕切片５４，５４の第２１方向側Ｄ２１の端部において、折り線５４１，５４１（図４において谷折り）を介して接続される。サイドカバー配置底面５６は、第１方向Ｄ１に延びる。サイドカバー配置底面５６は、図２及び図３に示すように、梱包状態において、サイドカバー配置部５０２の底面を構成する。サイドカバー配置底面５６は、第２方向Ｄ２の第２２方向側Ｄ２２から第２１方向側Ｄ２１に向かうに従って下方に下るように傾斜して配置される。サイドカバー配置底面５６は、梱包状態において、機能部１１の便座１３及び便蓋１４の上端部よりも下方に位置している。
【００４７】
吊り下げ仕切部５のサイドカバー配置底面５６及び付属品配置傾斜底面５１は、図３に示すように、梱包状態において、第１方向Ｄ１に視た場合に、第２方向Ｄ２の第２２方向側Ｄ２２から第２１方向側Ｄ２１に向かうに従って下方に下るように傾斜する直線上に配置される。これにより、吊り下げ仕切部５の下方には、機能部配置部５０１が形成される。機能部配置部５０１において、付属品配置傾斜底面５１の下方のスペースは、サイドカバー配置底面５６の下方のスペースよりも広くなっており、機能部１１の内部に配置される洗浄タンク（図示せず）の高さが高い場合であっても、付属品配置傾斜底面５１の下方において、高さが高い機能部１１を収容できるスペースを有している。
【００４８】
一対の下方側片５７，５７は、図４に示すように、展開状態において、付属品配置傾斜底面５１の第１方向Ｄ１の両端部に、折り線５１２，５１２（図４において谷折り）を介して接続されると共に、サイドカバー配置底面５６の第１方向Ｄ１の両端部に折り線５６１，５６１（図４において谷折り）を介して接続される。一対の下方側片５７，５７は、図２及び図３に示すように、梱包状態において、第１方向Ｄ１に視た場合に、吊り下げ仕切部５の下方において、サイドカバー配置底面５６及び付属品配置傾斜底面５１から立ち上がるように、折り線５６１，５６１，折り線５１２，５１２（図４参照）を介して折り曲げられる。一対の下方側片５７，５７は、吊り下げ仕切部５における第１方向Ｄ１の両端部の側部において、ケース本体４１の内面に沿うように配置される。
【００４９】
サイドカバー配置側面５８は、図４に示すように、展開状態において、サイドカバー配置底面５６の第２１方向側Ｄ２１の端部に、折り線５６２（図４において谷折り）及び切断線５９１，５９１を介して接続される。サイドカバー配置側面５８は、図２及び図３に示すように、梱包状態において、サイドカバー配置部５０２の第２１方向側Ｄ２１の側面を構成する。
【００５０】
一対の爪部５９，５９は、図４に示す展開状態において、サイドカバー配置底面５６とサイドカバー配置側面５８との間において、切断線５９１（切り込み）が形成された折り線５６２（折り線）を折り曲げることで形成される。折り線５６２は、第１方向Ｄ１に延びる。切断線５９１は、折り線５６２の第１方向Ｄ１の途中の２箇所に形成され、サイドカバー配置底面５６からサイドカバー配置側面５８側に突出する台形形状に形成される。折り線５６２は、台形形状の長い底辺の部分は切断されずに、台形形状の長い底辺以外が切断されている。
【００５１】
一対の爪部５９，５９は、図２及び図３に示すように、梱包状態において、箱状ケース４における機能部１１の前方側Ｙ１において、箱状ケース４の一対の係止穴４４，４４に支持される。一対の爪部５９，５９は、梱包状態において、サイドカバー配置底面５６とサイドカバー配置側面５８とを折り線５６２を介して折り曲げることで、台形形状に突出して形成される。一対の爪部５９，５９は、梱包状態において、吊さ下げ仕切部５の底部の第２１方向側Ｄ２１の端部から、吊さ下げ仕切部５の底部の傾斜角度と同じ傾斜角度で、斜め下方に傾斜して延びる。
【００５２】
一対の爪部５９，５９は、一対の係止穴４４，４４に挿通されて、一対の係止穴４４，４４に係止される。これにより、一対の係止穴４４，４４において、吊り下げ仕切部５に作用する荷重を受けて、一対の爪部５９，５９は、吊り下げ仕切部５の第２方向Ｄ２の第２１方向側Ｄ２１において吊り下げ仕切部５の下側を支持する。
【００５３】
一対の爪部５９，５９が一対の係止穴４４，４４に支持された状態においては、一対の係止穴４４，４４及び一対の爪部５９，５９は、箱状ケース４における機能部１１の前方側Ｙ１において、箱状ケース４の上下方向Ｚの略中央（箱状ケース４のケース本体４１の上端部よりも下方）に配置されている。吊り下げ仕切部５は、箱状ケース４における機能部１１の前方側Ｙ１において、箱状ケース４の上下方向Ｚの略中央（箱状ケース４のケース本体４１の上端部よりも下方）で支持されている。つまり、係止穴４４及び爪部５９は、内フラップ４２及び耳片部５２よりも下方に配置される。そのため、箱状ケース４における機能部１１の前方側Ｙ１において、吊り下げ仕切部５の上方には、サイドカバー１５を縦にした状態で配置可能なスペース（サイドカバー配置部５０２）が確保される。
【００５４】
サイドカバー仕切部６１は、図４に示すように、展開状態において、サイドカバー配置側面５８の第２１方向側Ｄ２１において、方形状の貫通穴６０を挟んで形成される。サイドカバー仕切部６１は、折り線６１２（図４において谷折り）を介して、図２及び図３に示すように、立ち下がるように折り曲げられる。サイドカバー仕切部６１は、便座先端配置部５０４の上方側において、サイドカバー配置部５０２と便座先端配置部５０４とを仕切るように配置される。
【００５５】
便蓋先端配置上面６３は、図４に示すように、展開状態において、第１方向Ｄ１の両端側が、サイドカバー配置側面５８の第２１方向側Ｄ２１の端部において、折り線６１１（図４において谷折り）を介して接続されると共に、第１方向Ｄ１の中央が、サイドカバー仕切部６１の第２１方向側Ｄ２１の端部において、折り線６１２（図４において谷折り）を介して接続される。折り線６１２の第１方向Ｄ１の途中には、貫通長穴６２が形成されている。便蓋先端配置上面６３は、図２及び図３に示すように、梱包状態において、便座先端配置部５０４の上面を構成する。
【００５６】
一対の上方側片６４，６４は、図４に示すように、展開状態において、便蓋先端配置上面６３の第１方向Ｄ１の両端部に、折り線６３１，６３１（図４において山折り）を介して接続される。一対の上方側片６４，６４は、図２に示すように、吊り下げ仕切部５の上方において、便蓋先端配置上面６３から立ち上がるように、折り線６３１，６３１（図４参照）を介して折り曲げられる。一対の上方側片６４，６４は、吊り下げ仕切部５における第１方向Ｄ１の両端部の側部において、ケース本体４１の内面に沿うように配置される。
【００５７】
便座仕切片６５は、図４に示すように、展開状態において、便蓋先端配置上面６３の第２１方向側Ｄ２１に、切断線６３２が形成された折り線６３３，６３３を介して接続される。切断線６３２は、便座仕切片６５から便蓋先端配置上面６３側に突出する台形形状に形成され、台形形状の長い底辺の部分は切断されずに、台形形状の長い底辺以外が切断される。便座仕切片６５は、図２及び図３に示すように、梱包状態において、便蓋先端配置上面６３から立ち下がるように、折り線６３３，６３３（図４参照）を介して折り曲げられている。便座仕切片６５は、便座先端配置部５０４と便蓋先端配置部５０５とを仕切るように配置される。
【００５８】
便座仕切片６５には、図２及び図３に示すように、梱包状態において、便座仕切片６５と便蓋先端配置上面６３とを折り線６３３（図４において谷折り）を介して折り曲げることで、台形形状に突出する把持片６６が形成される。把持片６６を把持して、便座仕切片６５を移動させることで、便座仕切片６５を、便座１３の先端と便蓋１４の先端との間に配置することができる。
【００５９】
以上のように構成される梱包装置１を用いて、梱包装置１に、便器装置１０の機能部１１、サイドカバー１５及び付属品１６を梱包する手順について説明する。
まず、図１に示すように。底トレイ部２に載置台部３を配置する。そして、載置台部３の上部に、便器装置１０の機能部１１を、便蓋１４及び便座１３が上方に回動された状態で配置する。
【００６０】
続けて、機能部１１の側部の全周を覆うように、箱状ケース４を、機能部１１の上方から挿通させて、ケース本体４１の切り込み部４１ａ，４１ｂ，４１ｂを、載置台部３の頂部３１及び一対の足部３２，３２に係止させる。これにより、機能部１１の周囲を囲むように、箱状ケース４を、底トレイ部２から立ち上がるように配置する。
【００６１】
次に、吊り下げ仕切部５を、箱状ケース４に取り付ける。
具体的には、吊り下げ仕切部５の一対の爪部５９，５９を一対の係止穴４４，４４に挿通させて一対の係止穴４４，４４に支持させる。一対の爪部５９，５９が一対の係止穴４４，４４に支持された状態においては、一対の係止穴４４，４４及び一対の爪部５９，５９は、箱状ケース４における機能部１１の前方側Ｙ１において、箱状ケース４の上下方向Ｚの略中央（箱状ケース４のケース本体４１の上端部よりも下方）に配置されている。
また、一対の耳片部５２，５２を、箱状ケース４における第２方向Ｄ２の第２２方向側Ｄ２２（箱状ケース４における機能部１１の後方側Ｙ２）の端部において、ケース本体４１の上下方向Ｚの上端部に配置する。
【００６２】
これにより、吊さ下げ仕切部５の底部は、図３に示すように、第１方向Ｄ１に視た場合に、第２方向Ｄ２の第２２方向側Ｄ２２から第２１方向側Ｄ２１に向かうに従って下方に下るように傾斜する直線上に配置される。そして、一対の爪部５９，５９は、吊さ下げ仕切部５の底部の第２１方向側Ｄ２１の端部から、吊さ下げ仕切部５の底部の傾斜角度と同じ傾斜角度で、斜め下方に傾斜して延びる。
【００６３】
よって、吊り下げ仕切部５は、箱状ケース４の第２方向Ｄ２の第２１方向側Ｄ２１の第２側壁４１２ａの一対の係止穴４４，４４において、荷重を受けることができる。特に、一対の爪部５９，５９は、斜め下方に傾斜して延びた状態で、一対の係止穴４４，４４に挿通されている。そのため、吊り下げ仕切部５に荷重が掛かった場合に、斜め下方に荷重が作用して、係止状態が強固になる。
なお、この状態においては、一対の耳片部５２，５２は、荷重を受けていない。
【００６４】
吊り下げ仕切部５を箱状ケース４に取り付けることで、吊り下げ仕切部５の下方には、機能部配置部５０１が形成される。機能部配置部５０１において、付属品配置傾斜底面５１の下方のスペースは、サイドカバー配置底面５６の下方のスペースよりも広くなっており、機能部１１の内部に配置される洗浄タンク（図示せず）の高さが高い場合であっても、付属品配置傾斜底面５１の下方において、高さが高い機能部１１を収容できるスペースを有している。これにより、付属品配置傾斜底面５１の下方において、機能部１１の高さに応じて、機能部１１の高さに依存せずに、機能部１１を箱状ケース４の内部に収容できる。
【００６５】
そして、把持片６６を把持して、図２及び図３に示すように、便座仕切片６５を、便座１３の先端と便蓋１４の先端との間に配置する。これにより、便座仕切片６５は、図２及び図３に示すように、梱包状態において、便座先端配置部５０４と便蓋先端配置部５０５とを仕切るように配置される。
【００６６】
この状態において、付属品配置部５０３に付属品１６を配置する。また、サイドカバー配置部５０２にサイドカバー１５を縦にした状態で配置する。これにより、付属品１６を収容できると共に、サイドカバー１５を縦にした状態で収容できる。そのため、サイドカバー１５を横にした状態で保管するよりも、サイドカバー１５が変形することを抑制できる。
【００６７】
次に、箱状ケース４の上面開口において、２つの内フラップ４２，４２を閉じて、図５に示すように、内フラップ４２，４２の上面４２ａに、吊り下げ仕切部５の一対の耳片部５２，５２が配置されるように一対の耳片部５２，５２を折り返す。これにより、吊り下げ仕切部５は、箱状ケース４の内フラップ４２，４２の上面４２ａにおいて、一対の耳片部５２，５２が一対の内フラップ４２，４２に支持されて、荷重を受けることができる。
一対の耳片部５２，５２が一対の内フラップ４２，４２に支持された状態においては、一対の内フラップ４２，４２及び一対の耳片部５２，５２は、箱状ケース４における機能部１１の後方側Ｙ２において、箱状ケース４における上部側に配置される。
【００６８】
その後、内フラップ４２，４２を覆うように、外フラップ４３，４３を閉じると共に、外フラップ４３，４３の閉じ片４３１，４３１を、内フラップ４２，４２のスリット開口４２１，４２１に挿入することで、外フラップ４３，４３を閉じる。便器装置１０の機能部１１、サイドカバー１５、付属品１６を、梱包装置１に梱包できる。これにより、一対の耳片部５２，５２が一対の外フラップ４３，４３により押さえ付けられるため、一対の耳片部５２，５２の支持が強固になる。
【００６９】
以上により、便器装置１０の機能部１１、サイドカバー１５、付属品１６を、梱包装置１に梱包した状態において、吊り下げ仕切部５の爪部５９が係止穴４４で支持されると共に、吊り下げ仕切部５の耳片部５２が内フラップ４２で支持される。そのため、吊り下げ仕切部５に作用する荷重を分散することができる。
また、吊り下げ仕切部５は、機能部１１に接触せずに、係止穴４４及び内フラップ４２のみにより支持される。そのため、吊り下げ仕切部５は吊り下げられており、吊り下げ仕切部５は機能部１１に接触しないため、吊り下げ仕切部５に作用する荷重を機能部１１に掛けることがない。
【００７０】
以上説明した本実施形態の便器装置１０の梱包装置１によれば、以下のような効果を奏する。
本実施形態においては、機能部１１が梱包装置１に梱包された状態において、機能部１１の周囲を囲むように配置される箱状ケース４と、１枚の段ボールで形成される吊り下げ仕切部５であって、機能部１１が梱包材１に梱包された状態において、機能部１１の上方に配置され、箱状ケース４における機能部１１の前方側Ｙ１において上下方向に延びるサイドカバー配置部５０２を形成すると共に、周壁部４における機能部１１の前方側において箱状ケース４の係止穴４４に支持される爪部５９を有する吊り下げ仕切部５と、を備える。
【００７１】
そのため、吊り下げ仕切部５は、爪部５９が係止穴４４に支持されることで、吊り下げ仕切部５に掛かった荷重を受け止めることができる。
また、箱状ケース４における機能部１１の前方側Ｙ１のサイドカバー配置部５０２において、サイドカバー１５を縦にした状態で配置できる。これにより、サイドカバー１５のような大きな部材を収容して梱包できる。また、サイドカバー１５を横にした状態で配置するよりも、サイドカバー１５の変形を抑制した状態で、サイドカバー１５を梱包できる。
また、箱状ケース４における機能部１１の後方側Ｙ２において、サイドカバー１５が配置されないため、吊り下げ仕切部５の下方に機能部１１の高さに依存しないようなスペースを確保できる。これにより、機能部１１の高さに依存せずに梱包できる。よって、機能部１１の高さに依存せずに、梱包材を共通化できる。
【００７２】
また、本実施形態においては、機能部１１が梱包装置１に梱包された状態において、係止穴４４及び爪部５９は、内フラップ４２及び耳片部５２よりも下方に配置される。そのため、係止穴４４及び爪部５９側において、吊り下げ仕切部５の上方に、サイドカバー配置部５０２を形成できると共に、内フラップ４２及び耳片部５２側において、吊り下げ仕切部５の下方に、機能部１１の高さに依存しないようなスペースを確保できる。よって、係止穴４４及び爪部５９側における吊り下げ仕切部５の上方に、サイドカバー１５を縦にした状態で配置できると共に、高さの異なる機能部１１を収容して梱包することができる。
【００７３】
また、本実施形態においては、吊り下げ仕切部５は、機能部１１が梱包装置１に梱包された状態において、箱状ケース４における機能部１１の後方側において箱状ケース４の内フラップ４２に支持される耳片部５２を備え、吊り下げ仕切部５は、爪部５９が係止穴４４により支持されると共に、耳片部５２が内フラップ４２により支持される。よって、吊り下げ仕切部５を箱状ケース４の内部において吊り下げた状態で保持できると共に、吊り下げ仕切部５に作用する荷重を分散することができる。また、吊り下げ仕切部５は吊り下げられており、吊り下げ仕切部５は機能部１１に接触しないため、吊り下げ仕切部５に作用する荷重を機能部１１に掛けることがない。
【００７４】
また、本実施形態においては、爪部５９は、吊り下げ仕切部５における切断線５９１が形成された折り線５６２を折り曲げることで形成される。そのため、折り線５６２を折り曲げるだけで、簡単に、爪部５９を箱状ケース４に支持させることができる。
【００７５】
なお、本発明は上記実施形態に限定されるものではなく、本発明の目的を達成できる範囲での変形、改良等は本発明に含まれる。
例えば、上記実施形態では、梱包装置の梱包材の板状部材を、段ボールとしたが、これに限定されない。厚紙やプラスチックの板材などでもよい。
【００７６】
上記実施形態では、収容部を、サイドカバー配置部５０２としたが、これに限定されず例えば、便器装置の部材が収容される収容部としてもよい。
【００７７】
上記実施形態では、第１支持部を、爪部５９としたが、これに限定されない。例えば、第１支持部を、周壁部に爪部を設けて爪部に支持されるように構成してもよいし、周壁部に凸部を設けて凸部に仕切部材の先端を載せるように構成してもよい。
【００７８】
上記実施形態では、第２支持部を、耳片部５２としたが、これに限定されない。例えば、第２支持部を、周壁部に爪部を設けて爪部に支持されるように構成してもよいし、周壁部に凸部を設けて凸部に仕切部材の先端を載せるように構成してもよい。
【００７９】
上記実施形態では、第１荷重受け部４４を、係止穴４４により構成したが、これに限定されない。例えば、第１荷重受け部４４を、突起などにより構成して、爪部を引っ掛けて、荷重を受けるように構成してもよい。
【００８０】
上記実施形態では、箱状ケース４の係止穴４４に支持される爪部５９を、箱状ケース４における機能部１１の前方側Ｙ１の第２側壁４１２ａで支持するように構成した。ここで、本実施形態においては、箱状ケース４における機能部１１の前方側Ｙ１には、箱状ケース４における機能部１１の左右方向の端部側の前方側Ｙ１も含まれ、爪部５９を、箱状ケース４における機能部１１の左右方向の端部側の第１側壁４１１，４１１の前方側Ｙ１で支持するように構成してもよい。
【００８１】
上記実施形態では、機能部１１の後方側Ｙ２において箱状ケース４の内フラップ４２に支持される耳片部５２を備えるように構成したが、これに限定されない。機能部１１の後方側Ｙ２において、収容ケースの係止穴に支持される爪部を有するように構成してもよい。
【符号の説明】
【００８２】
１  梱包装置（梱包材）
４  箱状ケース（周壁部）
５  吊り下げ仕切部（仕切部材）
１０  便器装置
１１  機能部
１５  サイドカバー
４２  内フラップ（第２荷重受け部）
４４  係止穴（第１荷重受け部）
５２  耳片部（第２支持部）
５９  爪部（第１支持部）
５０２  サイドカバー配置部（収容部）
５６２  折り線（折れ曲がり部）
５９１  切断線（切り込み）
Ｙ１  前方側
Ｙ２  後方側
【図１】
0006763685.tif 000002
【図２】
0006763685.tif 000003
【図３】
0006763685.tif 000004
【図４】
0006763685.tif 000005
【図５】
0006763685.tif 000006